(57)【要約】【課題】複数の焦点検出手段と複数の測光手段を有する電子カメラにおいて、測光、測距の精度と処理時間を撮影者の意図に合うように制御する。【解決手段】本発明の電子カメラは、撮像素子によるセンサＡＥ、コントラストＡＦに加え、別センサによるＡＥ、ＡＦ手段を有し、撮影モードにより、測光・測距の精度を優先するのか、測光・測距に要する処理時間を短縮するのかを決定する。【選択図】      図１
2007065166.tif 000002
【特許請求の範囲】
【請求項１】
撮影光学系と、該撮影光学系を介した被写体光を電気信号に変換する撮像素子と、該撮像素子の信号により焦点検出を行う第１の焦点検出手段と、別の光電変換素子による信号から焦点検出を行う第２の焦点検出手段と、該第１若しくは第２の焦点検出手段から得られる焦点検出信号で前記撮影光学系の少なくとも一部のレンズを光軸方向に駆動して合焦動作を行う焦点検出制御手段と、前記撮像素子による信号から測光を行う第１の測光手段と、それとは別の光電変換素子による第２の測光手段と、前記第１又は第２の測光手段からの出力により露出制御を行う露出制御手段を有する電子カメラにおいて、最終的に測光で用いられた測光手段により、使用する焦点検出手段を選択する選択手段を有することを特徴とする電子カメラ。
【請求項２】
撮影モードによって使用する測光手段を選択する選択手段を有することを特徴とする請求項１に記載の電子カメラ。
【請求項３】
撮影モードにより予備測光するか否かを選択する選択手段を有することを特徴とする請求項１に記載の電子カメラ。
【請求項４】
予備測光は常に第２の測光手段により行うことを特徴とする請求項１に記載の電子カメラ。
【請求項５】
連写モード時の２駒目以降は第２の測光手段により測光を行うことを特徴とする請求項２に記載の電子カメラ。
【発明の詳細な説明】
【技術分野】
【０００１】
本発明は、複数の焦点検出手段及び複数の測光手段を有するデジタルカメラにおける測光検出制御及び焦点検出制御に係る電子カメラに関するものである。
【背景技術】
【０００２】
従来のビデオカメラやデジタルカメラでは撮像素子によるオートフォーカス（自動焦点調節＝ＡＦ：以下ＡＦと略す）、所謂コントラスト（山登り）ＡＦが主流となっている。このコントラストＡＦは撮像素子の画像信号を利用しているので、合焦の精度はかなり正確である。しかし、コントラストＡＦは銀塩カメラで使われているパッシブＡＦやアクティブＡＦに比べて、前述のように撮像素子の画像信号を信号処理するために処理するデータ量が多く、また信号のピークを検出するためにフォーカスレンズを一旦ピークを超えて駆動させる必要が有るので、焦点検出に時間が掛かるため、コントラストＡＦに加え、ＴＴＬ（スルー・ザ・レンズ）の位相差ＡＦや外測のＡＦ方式など別のＡＦ方式を併用してあらかじめ焦点近傍までコントラストＡＦ以外の焦点検出手段で合焦動作を行い、その後コントラストＡＦで焦点調節するカメラも提案されている（例えば特許文献１参照）。
【０００３】
また、ビデオカメラやデジタルカメラでは一般に撮像素子の画像信号から測光も行って露出制御を行っている。ＣＣＤやＣＭＯＳといった撮像素子は銀塩カメラなどで一般的に使用されている、ＳＰＤなどの測光専用センサに比べて、測光可能な輝度範囲が狭い。例えばＳＰＤが測光可能な輝度範囲が２０ＥＶを超えるのに対して、ＣＣＤやＣＭＯＳは測光可能な輝度範囲が８〜１０ＥＶ程度である。そのためにいきなり撮像素子で測光を行なうと、測光可能な輝度範囲内であれば問題はないが、測光不可能な輝度範囲であれば測光が不正確になってしまう恐れがある。また、撮像素子で測光を行なうと処理する画素数が多いために、測光演算処理に掛かる時間が長くなるという問題点もある。
【０００４】
そこで、測光を正確に行なうために、撮像素子とは別の測光センサを持ち、その測光センサでまず予備測光を行いその測光結果から撮像素子の蓄積時間やレンズの絞りを決定して、本測光を行なう電子スチルカメラが提案されている（例えば特許文献２参照）。
【特許文献１】特開２００１−２５５４５６号公報（第１頁、図１など）
【特許文献２】特開平２−１２５５７６号公報（第１頁、図１、及び図４など）
【発明の開示】
【発明が解決しようとする課題】
【０００５】
しかしながら前述のように、複数の焦点検出手段を用いても、焦点検出の精度は向上しても焦点検出時間は最終的にはコントラストＡＦを行なうために、限界があった。また従来の測光手段を複数持つ電子カメラでは、予備測光を測光専用センサで行い本測光を撮像素子で行なうものであったが、この方式でも最終的には撮像素子で本測光を行なう処理が残っているために、測光専用センサのみで測光処理を行う場合より時間がかかってしまうという問題があった。本発明の目的は、撮影者の意図に沿うように焦点検出、測光検出の精度と処理時時間の最適制御方法に係る電子カメラを提供することである。
【課題を解決するための手段】
【０００６】
以上のような目的を達成するために請求項１の発明は、撮影光学系と、該撮影光学系を介した被写体光を電気信号に変換する撮像素子と、該撮像素子の信号により焦点検出を行う第１の焦点検出手段と、別の光電変換素子による信号から焦点検出を行う第２の焦点検出手段と、該第１若しくは第２の焦点検出手段から得られる焦点検出信号で前記撮影光学系の少なくとも一部のレンズを光軸方向に駆動して合焦動作を行う焦点検出制御手段と、前記撮像素子による信号から測光を行う第１の測光手段と、それとは別の光電変換素子による第２の測光手段と、前記第１又は第２の測光手段からの出力により露出制御を行う露出制御手段を有する電子カメラにおいて、最終的に用いられた測光手段により、使用する焦点検出手段を選択する選択手段を有することを特徴としている。
【０００７】
請求項２の発明は、請求項１記載の電子カメラにおいて、撮影モードによって使用する測光手段を選択する選択手段を有することを特徴としている。
【０００８】
請求項３の発明は、請求項１記載の電子カメラにおいて、撮影モードにより予備測光するか否かを選択する選択手段を有することを特徴としている。
【０００９】
請求項４の発明は、請求項１記載の電子カメラにおいて、予備測光は常に第２の測光手段により行なうことを特徴としている。
【００１０】
請求項５の発明は、請求項２記載の電子カメラにおいて、連写モード時の２駒目以降は第２の測光手段により測光を行うことを特徴としている。
【発明の効果】
【００１１】
請求項１の発明によれば、撮影光学系と、該撮影光学系を介した被写体光を電気信号に変換する撮像素子と、該撮像素子の信号により焦点検出を行う第１の焦点検出手段と、別の光電変換素子による信号から焦点検出を行う第２の焦点検出手段と、該第１若しくは第２の焦点検出手段から得られる焦点検出信号で前記撮影光学系の少なくとも一部のレンズを光軸方向に駆動して合焦動作を行う焦点検出制御手段と、前記撮像素子による信号から測光を行う第１の測光手段と、それとは別の光電変換素子による第２の測光手段と、前記第１又は第２の測光手段からの出力により露出制御を行う露出制御手段を有する電子カメラにおいて、最終的に用いられた測光手段により、使用する焦点検出手段を選択する選択手段を有することにより、カメラが精度を優先するのか速度を優先するのかを判断して、撮影者の所望する測光、測距処理を行なうことが可能となる。
【００１２】
請求項２、３の発明によれば、撮影モードによって使用する測光手段を選択したり、予備測光するか否かの選択手段を有することにより、例えばスポーツモードのように、レリーズタイムラグをなるべく少なくしたい場合は、第２の測光手段で本測光を行ない、第２の焦点検出手段で測距することによりレリーズタイムラグを短縮することが可能となる。
【００１３】
請求項４の発明によれば、予備測光は常に第２の測光手段により行なうことにより、予備測光処理に掛かる時間の短縮が可能となる。
【００１４】
請求項５の発明によれば、連写モード時の２駒目以降は第２の測光手段により測光を行うことにより、測光時間を短縮して、連写の駒速を上げることが可能となる。
【発明を実施するための最良の形態】
【００１５】
以下本発明を実施するための最良の形態を、実施例により詳しく説明する。
【実施例】
【００１６】
図１は、本実施の形態のカメラの構成を示すブロック図である。図２ａ、図２ｂは本実施の形態のカメラの概略の光学配置図である。図１、図２ａにおいて、１は撮影レンズユニットである。２，３，６，７は撮影レンズであり、３は撮影光軸Ｌ１上を移動して撮影倍率を変更するバリエータレンズ、７は撮影光軸Ｌ１上を移動して焦点を調節するフォーカシングレンズである。４は複数の羽根の移動による重なり量の変化により複数の絞り径を形成して撮影光量を調節する絞りであり、本実施例では複数の羽根により絞り形状が略円形状になるアイリス絞りである。
【００１７】
８は第１の光電変換手段と第２の光電変換手段とに光束を分割するビームスプリッタであり、本実施例ではハーフミラーを用いている。９は露光制御を行うシャッタであり、１０はモアレを防止する光学ローパスフィルタ（ＬＰＦ）であり、赤外カットフィルタや色補正フィルタなどと張り合わせて用いられることが多い。１１は第１の光電変換手段であり光学像を電気信号に変換するＣＣＤなどの撮像素子である。この撮像素子１１の輝度信号の変化（コントラスト）を検知して、コントラストのピークを検出する公知のコントラスト（山登り）ＡＦを行う（第１の焦点検出手段）。また、輝度信号を利用して測光も行なうことが可能となっている（第１の測光手段）。従ってこの撮像素子１１は、第１の焦点検出センサ及び第１の測光センサの役割も併せ持っている。
【００１８】
図２ａから明らかなように本実施例のカメラは、ＴＴＬにてコントラストＡＦと位相差ＡＦが可能な構成をとっている。また、測光も第１の測光手段と後述する第２の測光手段がＴＴＬにて可能な構成をとっている。ただし、本発明はこの構成に限定されるものではなく、２つの焦点検出手段と２つの測光手段を有していれば良く、ＴＴＬの位相差ＡＦの代わりに撮影光学系とは別の光学系を介した光束を受けて焦点検出を行う、所謂外測の位相差ＡＦや三角測距方式（アクティブ方式）のＡＦを用いてももちろん良い。また、測光センサも撮影光学系からの光束を用いず、所謂外測の測光手段を用いても良い。
【００１９】
１２は１次結像面に形成される像を第２の焦点検出手段に導く分割フィールドレンズである。１４は焦点検出に有害な赤外光を取り除くための赤外カットフィルタである。１５は光電変換手段である焦点検出センサ１６上に複数の被写体光束を再結像させるための二次結像レンズである。１６は光電変換手段であり、ＣＣＤや１対のラインセンサを複数持つ第２の焦点検出センサである。この焦点検出センサ１６で異なる瞳を通過した被写体光の２つの像のずれ量を検出する公知の位相差ＡＦを行う（第２の焦点検出手段）。５５は位相差演算部であり、焦点検出センサ１６で検出した２つの像のずれ量からデフォーカス量を演算して、フォーカシングレンズ７を焦点位置まで駆動するようにシステム制御回路５０を介して、焦点検出制御手段４２に駆動信号を送る。
【００２０】
１７はＡ／Ｄ変換器であり、撮像素子１１のアナログ信号出力をディジタル信号に変換する。１８はタイミング発生回路であり、撮像素子１１、Ａ／Ｄ変換器１６、Ｄ／Ａ変換器２６にクロック信号や制御信号を供給するもので、メモリ制御回路２２及びシステム制御回路５０により制御される。
【００２１】
２０は画像処理回路であり、Ａ／Ｄ変換器１６からのデータ或いはメモリ制御回路２２からのデータに対して所定の画素補間処理や色変換処理を行う。画像処理回路２０においては、撮像した画像データを用いて所定の演算処理を行い、得られた演算結果に基づいてシステム制御回路５０が露光制御手段４０、焦点検出制御手段４２に対して制御を行うＴＴＬ方式のＡＦ（オートフォーカス）処理、ＡＥ（自動露出）処理、ＥＦ（フラッシュプリ発光）処理を行っている。さらに、画像処理回路２０においては、撮像した画像データを用いて所定の演算処理を行い、得られた演算結果に基づいてＴＴＬ方式のＡＷＢ（オートホワイトバランス）処理も行っている。
【００２２】
２２はメモリ制御回路であり、Ａ／Ｄ変換器１６、タイミング発生回路１８、画像処理回路２０、画像表示メモリ２４、Ｄ／Ａ変換器２６、メモリ３０、圧縮・伸長回路３２を制御する。Ａ／Ｄ変換器１６のデータは画像処理回路２０、メモリ制御回路２２を介して、或いは直接メモリ制御回路２２を介して、画像表示メモリ２４或いは画像記録メモリ３０に書き込まれる。２３はコントラスト演算部であり、通常画像処理回路２０に含まれるが、説明の便宜上分けて説明する。コントラスト演算部２３は撮像素子１１の輝度信号の変化（所謂コントラスト）を検出し、コントラストが最大になるように即ちピントが合っている位置にフォーカシングレンズ７を駆動するようにシステム制御回路５０を介して、焦点検出制御手段４２に駆動信号を送る。
【００２３】
２４は画像表示メモリである。２６はＤ／Ａ変換器である。２８はＴＦＴ  ＬＣＤ等からなる画像表示部であり、画像表示メモリ２４に書き込まれた表示用の画像データはＤ／Ａ変換器２６を介して画像表示部２８により表示される。画像表示部２８を用いて撮像した画像データを逐次表示すれば、動画表示を実現することが可能である。また画像表示部２８は、電池残量表示、ストロボ充電完了表示、装置のモード設定時の選択画面表示、時刻・日付表示などにも用いられる。画像表示部２８に用いられている表示素子はＴＦＴ方式などの液晶表示板である。
【００２４】
３０は画像記録メモリであり、撮影した静止画像や動画像を格納する。画像記録メモリ３０は、所定枚数の静止画像や所定時間の動画像を格納するのに十分な記憶量を備えている。これにより、複数枚の静止画像を連続して撮影する連射撮影や動画撮影など、高速かつ大量の画像書き込みを画像記録メモリ３０に対して行うことが可能となる。また、画像記録メモリ３０はシステム制御回路５０の作業領域としても使用することが可能である。
【００２５】
３２は圧縮・伸長回路であり、適応離散コサイン変換（ＡＤＣＴ）等により画像データを圧縮伸長する。圧縮・伸長回路３２では、画像記録メモリ３０に格納された画像を読み込んで圧縮処理或いは伸長処理を行い、処理を終えたデータを画像記録メモリ３０に書き込む。
【００２６】
４０はシャッタ９の駆動を制御する露光制御手段であり、４２は撮影レンズユニット１のフォーカスを行うためにフォーカシングレンズ７の駆動制御する焦点検出制御手段である。４６は撮影レンズユニット１のズーミングを行うためにバリエータレンズ３の駆動制御するズーム制御手段である。４５は絞り制御手段である。画像処理回路２０により撮像された被写体の明るさを測定し（測光）その結果から絞り制御手段４５に信号が送られ、絞り４を駆動する。４０，４２，４６の各制御手段はそれぞれ駆動させるために、ステッピングモータやプランジャなどのアクチュエータを用いている。
【００２７】
４８はストロボであり、被写体に向けて閃光発光を行い被写体を照明する。
５０はシステム制御回路であり、本発明のカメラ全体の動作を制御する中央演算ユニット（ＣＰＵ）である。従ってどちらの焦点検出手段からの信号を用いて合焦動作させるかの切換えの判断もシステム制御回路５０で行うことになる。５２はメモリであり、システム制御回路５０の動作用の定数、変数、プログラム等を記憶する。５６は電気的に消去・記録可能な不揮発性メモリであり、例えばＥＥＰＲＯＭ等が用いられ、撮影者が設定するカスタムファンクションの設定やメッセージ等を記憶する。
【００２８】
６０、６２、６４、６６は、システム制御回路５０の各種の動作指示を入力するための操作手段であり、スイッチやダイアル、タッチパネル等の単数或いは複数の組み合わせで構成される。具体的には６０は電源スイッチであり、カメラの電源のＯＮ・ＯＦＦを行う。６２はズームスイッチであり撮影レンズの焦点距離の変更を指示する。６４はレリーズスイッチであり、第一ストロークのスイッチＯＮでＡＦ（オートフォーカス）処理、ＡＥ（自動露出）処理、ＡＷＢ（オートホワイトバランス）処理等の動作開始を指示し、第二ストロークのスイッチＯＮで引き続き絞り４の開閉、シャッタ９の開閉、撮像素子１１から読み出した信号をＡ／Ｄ変換器１６、メモリ制御回路２２を介してメモリ３０に画像データを書き込む露光処理、画像処理回路２０やメモリ制御回路２２での演算を用いた現像処理、画像記録メモリ３０から画像データを読み出し、圧縮・伸長回路３２で圧縮を行い、記録媒体１００に画像データを書き込む記録処理という一連のレリーズ処理の動作開始を指示する。６６はモードダイヤルスイッチであり、複数の撮影モード（例えばオートモード、スポーツモード、マクロモード、風景モードなど）の中から撮影者が選択する。
【００２９】
７０は電源制御回路であり、電池検出回路、ＤＣ−ＤＣコンバータ、通電するブロックを切換えるスイッチ回路等により構成されており、電池の装着の有無、電池の種類、電池残量の検出を行い、検出結果及びシステム制御回路５０の指示に基づいてＤＣ−ＤＣコンバータを制御し、必要な電圧を必要な期間、記録媒体を含む各部へ供給する。７２、７４はコネクタである。７６は電源であり、アルカリ電池やリチウム電池等の一次電池やＮｉＣｄ電池やＮｉＭＨ電池、リチウムイオン電池等の二次電池、ＡＣアダプター等からなる。
【００３０】
８０はメモリカードやハードディスク等の記録媒体とのインタフェースである。８２はメモリカードやハードディスク等の記録媒体と接続を行うコネクタである。インタフェース及びコネクタとしては、ＰＣＭＣＩＡカードやＣＦ（コンパクトフラッシュ（登録商標））カード、ＳＤカード、スマートメディア（登録商標）カード、メモリスティック（登録商標）カード等の規格に準拠したものを用いて構成してかまわない。さらに、インタフェース９０、そしてコネクタ９２をＰＣＭＣＩＡカードやＣＦ（コンパクトフラッシュ(登録商標)）カード等の規格に準拠したものを用いて構成した場合、ＬＡＮカードやモデムカード、ＵＳＢカード、ＩＥＥＥ１３９４カード、Ｐ１２８４カード、ＳＣＳＩカード、ＰＨＳ等の通信カード等の各種通信カードを接続することにより、他のコンピュータやプリンタ等の周辺機器との間で画像データや画像データに付属した管理情報を転送し合うことができる。
【００３１】
９０〜９６は第２の測光手段である。９０はビームスプリッタであり、第２の焦点検出手段に導く光束を分割して測光センサ９６へ導いており、本実施例ではハーフミラーを用いている。９２は測光に用いる光束を結像させるための拡散板である。９４は測光処理に有害な赤外光をカットする赤外カットフィルタである。９６は光電変換素子である第２の測光センサである。
【００３２】
１００はメモリカードやハードディスク等の記録媒体であり、半導体メモリや磁気ディスク等から構成される記録部１０２、装置本体側とのインタフェース１０４、装置本体側コネクタ８０と接続を行うコネクタ１０６とを備えており、装置本体に着脱可能に設けられている。この記録媒体１００と画像記録メモリ３０は、互いに記録されている画像ファイルの移動やコピーが可能である。
【００３３】
図２ｂは前述したＴＴＬの測光、測距方式を用いずに外測の測光、測距方式を用いた時のカメラの概略の光学配置図である。この構成は公知のパッシブＡＦの構成であり、１７は赤外光を被写体に投光するダイオードＩｒｅｄである。１３ａは投光される赤外光を被写体に集光する投光レンズ。１３ｂは被写体から反射された光を集光する集光レンズ。１４ａは可視光カットフィルタ、１６ａは赤外光を電気信号に変換する光電変換素子である。測光は被写体光を集光する集光レンズ９１、赤外カットフィルタ９４、測光センサ９６で構成されている。
【００３４】
図３は本実施の形態の電子カメラの概略の動作を示したフローチャートである。図４、図５は図３のフローチャートを補足するためのフローチャートである。以下、フローチャートに沿って説明する。
【００３５】
まずステップＳ１０１にて、選択されている撮影モードが速度優先モード（例えばスポーツモードなど）か否かを判断し、速度優先モードが選択されている場合は、レリーズスイッチ６４の第一ストローク（ＳＷ１）がＯＮされるまで待機する。速度優先モード以外の撮影モードが選択されていると判断した場合は、後述する精度優先ルーチン（図５）へ進む。ステップＳ１０２にてレリーズスイッチ６４の第一ストローク（ＳＷ１）がＯＮされたと判断したならば、ステップＳ１０３へ進む。
【００３６】
ステップＳ１０３は速度優先ルーチンで図４のフローチャートにて説明する。まずステップＳ２０１にて測光センサ９６を用いた第２の測光手段で測光を行なう。ステップＳ２０２にてステップＳ２０１での測光結果から絞り４の開口径、シャッタスピード、撮像素子１１の蓄積時間などの露出値のパラメータを決定する。露出値決定後、第２の焦点検出手段にて公知の位相差ＡＦを行なう。
【００３７】
以上でステップＳ１０３の処理が終わり、ステップＳ１０４にて合焦したと判断したならば、ステップＳ１０５にてレリーズスイッチ６４の第二ストローク（ＳＷ２）がＯＮされるまで待機する。ステップＳ１０５にてレリーズスイッチ６４の第二ストローク（ＳＷ２）がＯＮされたなら、ステップＳ１０６にてシャッタ９の開閉、撮像素子１１から読み出した信号をＡ／Ｄ変換器１６、メモリ制御回路２２を介してメモリ３０に画像データを書き込む露光処理、画像処理回路２０やメモリ制御回路２２での演算を用いた現像処理、画像記録メモリ３０から画像データを読み出し、圧縮・伸長回路３２で圧縮を行い、記録媒体１００に画像データを書き込む記録処理といった一連の撮像動作を行う。以上説明したように、速度優先ルーチンでは測光は第２の測光手段、測距は第２の焦点検出手段により行なうことにより、後述する精度優先ルーチンよりも精度はやや劣るが測光や測距に掛かる時間の短縮を図っている。従って、第１の測光手段と第１の焦点検出手段はこの速度優先ルーチンでは使用しない。
【００３８】
ステップＳ１０１にて、選択されている撮影モードが速度優先モード以外の撮影モード（例えばオートモード、風景モードなど）が選択されている場合は、ステップＳ１０７にてレリーズスイッチ６４の第一ストローク（ＳＷ１）がＯＮされるまで待機する。ステップＳ１０７にてレリーズスイッチ６４の第一ストローク（ＳＷ１）がＯＮされたと判断したならば、ステップＳ１０８にてレリーズスイッチ６４の第二ストローク（ＳＷ２）がＯＮされたかどうか判断し、第二ストローク（ＳＷ２）がＯＮされた場合は、ステップＳ１０９にて第一ストローク（ＳＷ１）がＯＮしてから第二ストローク（ＳＷ２）がＯＮするまでの時間Ｔ２が所定の時間Ｔｘよりも短い場合、即ちレリーズスイッチ６４の第一ストローク（ＳＷ１）と第二ストローク（ＳＷ２）が一気に押されたと判断した場合は、ステップＳ１０３の速度優先ルーチンに入る。第二ストローク（ＳＷ２）がＯＮするまでの時間Ｔ２が所定の時間Ｔｘよりも長い場合は、ステップＳ１１０の精度優先ルーチンに入る。
【００３９】
ステップＳ１０８にてレリーズスイッチ６４の第二ストローク（ＳＷ２）がＯＮされていない場合は、ステップＳ１１０へ進む。ステップＳ１１０は精度優先ルーチンで図５のフローチャートにて説明する。まずステップＳ３０１にて測光センサ９６を用いた第２の測光手段で予備測光を行なう。ステップＳ３０２にてステップＳ３０１での予備測光結果から撮像素子１１の蓄積時間や絞り４の開口径などの仮露出値を決定する。ステップＳ３０３にて、ステップＳ３０２にて決定した仮露出値を使って、撮像素子１１を用いた第１の測光手段で測光を行なう。ステップＳ３０３での測光結果から絞り４の開口径、シャッタスピード、撮像素子１１の蓄積時間などの露出値を決定する（ステップＳ３０４）。
【００４０】
露出値決定後ステップＳ３０５にて、第２の焦点検出手段により位相差による焦点検出で合焦動作を行う。ステップＳ３０６にて合焦と判断した場合は、ステップＳ３０７にて第１の焦点検出手段にてコントラストＡＦによる合焦動作を行い、ステップＳ１０４で合焦の判断を行い、以下同様に撮像処理へ進む。以上説明したように、精度優先ルーチンでは測光はまず第２の測光手段で予備測光を行ない、第１の測光手段で本測光を行なう。測距はまず第２の焦点検出手段により位相差ＡＦを行い次いで第１の焦点検出手段によりコントラストＡＦを行うことにより、速度優先ルーチンよりも測光や測距の演算処理に時間は掛かるがより正確な測光、測距を行なうことができる。
【００４１】
図６のフローチャートは、連写モードが設定されている場合の電子カメラの動作を示したものである。以下図６のフローチャートで説明を行なう。ステップＳ４０１にて連写モードが設定されていない場合は、図３のＡのステップＳ１０１へ飛ぶ。ステップＳ４０１にて連写モードが選択されている場合は、ステップＳ４０２にてレリーズスイッチ６４の第一ストローク（ＳＷ１）がＯＮされるまで待機する。ステップＳ４０２にてレリーズスイッチ６４の第一ストローク（ＳＷ１）がＯＮされたと判断したならば、ステップＳ４０３にてレリーズスイッチ６４の第二ストローク（ＳＷ２）がＯＮされたかどうか判断し、第二ストローク（ＳＷ２）がＯＮされた場合は、第一ストローク（ＳＷ１）がＯＮしてから第二ストローク（ＳＷ２）がＯＮするまでの時間Ｔ２が所定の時間Ｔｘよりも短い場合、即ちレリーズスイッチ６４の第一ストローク（ＳＷ１）と第二ストローク（ＳＷ２）が一気に押されたと判断した場合は、ステップＳ４１２の速度優先ルーチンに入る。
【００４２】
ステップＳ４０３にてレリーズスイッチ６４の第二ストローク（ＳＷ２）がＯＮされていない場合及び、ステップＳ４０４にてレリーズスイッチ６４の第一ストローク（ＳＷ１）がＯＮしてから第二ストローク（ＳＷ２）がＯＮするまでの時間Ｔ２が所定の時間Ｔｘよりも長い場合は、ステップＳ４０５にて精度優先ルーチンに入る。
【００４３】
速度優先ルーチン若しくは精度優先ルーチン処理後、ステップＳ４０６にて合焦を確認し、ステップＳ４０７にてレリーズＳＷ６４の第二ストローク（ＳＷ２）のＯＮが検出されたなら、ステップＳ４０８にて前述した、撮像処理を行なう。ステップＳ４０９にて引き続きレリーズスイッチ６４の第二ストローク（ＳＷ２）のＯＮが検出されている場合は、ステップＳ４１０にて速度優先ルーチン処理後、ステップＳ４１１にて合焦を確認したなら、ステップＳ４０７に戻ってレリーズＳＷ６４の第二ストロークＳＷ２）のＯＮが検出されたなら、ステップＳ４０８にて前述した、撮像処理を行ない、レリーズＳＷ６４の第二ストローク（ＳＷ２）のＯＦＦが検出されるまで、連写を続ける。
【００４４】
以上説明したように、連写モードでは通常１駒目は精度優先で測光、測距処理を行なう。レリーズＳＷ６４が早押しされた時は１駒目も速度優先ルーチンで測光、測距処理を行なう。１駒目の撮影が終了後引き続きレリーズＳＷ６４の第二ストローク（ＳＷ２）のＯＮが検出されている場合は、２駒目以降の測光、測距の処理は速度優先ルーチンで処理を行い、高速連写を可能としている。
【図面の簡単な説明】
【００４５】
【図１】本実施の形態の電子カメラの構成を示すブロック図
【図２ａ】本実施の形態の電子カメラの概略の光学配置図
【図２ｂ】図２ａとは別の測光、測距方式の電子カメラの概略の光学配置図
【図３】本実施の形態の電子カメラの概略の動作を示したフローチャート
【図４】速度優先ルーチンのフローチャート
【図５】精度優先ルーチンのフローチャート
【図６】連写モードが設定されている場合の電子カメラの動作を示したフローチャート
【符号の説明】
【００４６】
１      撮影レンズユニット
１１    撮像素子（第１の焦点検出センサ、第１の測光センサ）
１６    第２の焦点検出センサ
５０    中央演算ユニット（ＣＰＵ）
６４    レリーズスイッチ
９６    第２の測光センサ
【図１】
2007065166.tif 000003
【図２ａ】
2007065166.tif 000004
【図２ｂ】
2007065166.tif 000005
【図３】
2007065166.tif 000006
【図４】
2007065166.tif 000007
【図５】
2007065166.tif 000008
【図６】
2007065166.tif 000009